(57)【要約】【課題】筐体とメインフレームとの間、及び、メインフレームとサブフレームとの間を安価に弾性的に支持する。【解決手段】筐体１１と、前記筐体１１内に設けられ、ディスクＤを回転駆動するスピンドルモータ１５と、前記ディスクＤの半径方向に移動自在な光ピックアップ１７及び／又は磁気へッドとを取り付けたメインフレーム１２と、前記メインフレーム１２に生じた振動を吸収するために該メインフレーム１２の上方又は下方に配設されるサブフレーム１８と、前記筐体１１と前記メインフレーム１２との間、及び、前記メインフレーム１２と前記サブフレーム１８との間を、それぞれ同じ位置で少なくとも３箇所弾性的に支持する弾性部材１３とを備えたことを特徴とするディスクドライブ装置１０Ａを提供する。【選択図】図１
2006236494.tif 000002
【特許請求の範囲】
【請求項１】
筐体と、
前記筐体内に設けられ、ディスクを回転駆動するスピンドルモータと、前記ディスクの半径方向に移動自在な光ピックアップ及び／又は磁気ヘッドとを取り付けたメインフレームと、
前記メインフレームに生じた振動を吸収するために該メインフレームの上方又は下方に配設されるサブフレームと、
前記筐体と前記メインフレームとの間、及び、前記メインフレームと前記サブフレームとの間を、それぞれ同じ位置で少なくとも３箇所弾性的に支持する弾性部材とを備えたことを特徴とするディスクドライブ装置。
【請求項２】
請求項１記載のディスクドライブ装置において、
前記弾性部材は、振動に対して減衰特性を有するゴム材又は樹脂材を用いて略円筒形状に形成されており、略円筒形状の内部中心部位に中心孔が貫通して形成され、且つ、略円筒形状の外周部位に軸方向に間隔を持って第１，第２環状溝部が形成されていることを特徴とするディスクドライブ装置。
【発明の詳細な説明】
【技術分野】
【０００１】
本発明は、光ディスクや光磁気ディスクとか磁気ディスクなどのディスクに情報信号を記録及び／又は再生する際に、ディスクを回転駆動するスピンドルモータの回転により生じる振動を抑制するように構成したディスクドライブ装置に関するものである。
【背景技術】
【０００２】
一般的に、光ディスクや光磁気ディスクとか磁気ディスクなどのディスクは、音楽情報，映像情報，あるいはその他のデータなどを大容量に記録及び／又は再生でき、且つ、所望の情報を高速にアクセスできることから多用されているが、ディスクに情報信号を記録及び／又は再生する際に、ディスクを回転駆動するスピンドルモータの回転により生じる振動を抑制するように構成したディスクの駆動装置が開示されている（例えば、特許文献１参照）。
【特許文献１】特開平２００４−６０１４号公報（第４−５頁、図１−図３）。
【０００３】
図７（ａ），（ｂ）は従来のディスクの駆動装置を示した上面図、縦断面図、
図８は従来のディスクの駆動装置において、振動モデルを説明するための図である。
【０００４】
図７（ａ），（ｂ）に示した如く、従来のディスクの駆動装置１００は、上記した特許文献１（特開平２００４−６０１４号公報）に開示されているものであり、ここでは特許文献１を参照して簡略に説明する。
【０００５】
図７（ａ），（ｂ）に示した如く、従来のディスクの駆動装置１００では、筺体１０１内の底板１０１ａ上にメインフレーム１０２がゴム材や樹脂材を用いて形成した第１の弾性部材１０３により外周に沿って少なくとも３箇所弾性的に支持されている。
【０００６】
このメインフレーム１０２には、光ディスクＤを搭載するためのターンテーブル１０４をモータ軸に固着して光ディスクＤを回転駆動するスピンドルモータ１０５と、一対のガイドレール１０６，１０６に案内されて光ディスクＤの半径方向に移動自在な光ピックアップ１０７とが取り付けられている。
【０００７】
更に、メインフレーム１０２の上方でスピンドルモータ１０５の右方には、振動吸収器として機能するサブフレーム１０８がメインフレーム１０２と略平行に配設されており、このサブフレーム１０８はメインフレーム１０２に対してゴム材や樹脂材を用いて形成した第２の弾性部材１０９により外周に沿って少なくとも３箇所弾性的に支持されている。
【０００８】
この際、メインフレーム１０２は第１の弾性部材１０３の作用により外部振動に対してその影響を受けにくい構造を維持し、また、スピンドルモータ１０５が回転した時に光ディスクＤのアンバランス等によりメインフレーム１０２に生じる振動はサブフレーム１０８と第２の弾性部材１０９とによる振動吸収作用により抑制されることで、光ディスクＤの記録及び／又は再生が良好に行えるようになっている。
【０００９】
ここで、図８は、従来のディスクの駆動装置１００における振動モデルを示しており、この振動モデルでは、先に図７を用いて説明したように偏重心を持つ光ディスクＤがターンテーブル１０４上に搭載されてスピンドルモータ１０５により高速に回転した時に、光ディスクＤの偏重心によりメインフレーム１０２が振動すると、メインフレーム１０２上で第２の弾性部材１０９により弾性的に支持されたサブフレーム１０８はメインフレーム１０２に対して逆位相となって振動するため、メインフレーム１０２の振動を効果的に抑制することが可能である。また、筐体１０１とメインフレーム１０２との間は第１の弾性部材１０３により弾性的に支持されているため、外部振動に対しても充分な制振効果を得ることができる旨が開示されている。
【発明の開示】
【発明が解決しようとする課題】
【００１０】
ところで、従来のディスクの駆動装置１００によれば、筐体１０１とメインフレーム１０２との間を第１の弾性部材１０３により弾性的に支持し、且つ、メインフレーム１０２とサブフレーム１０８との間を第２の弾性部材１０９により弾性的に支持することで、サブフレーム１０８をメインフレーム１０２の振動に対して振動吸振器として作用させることができるものの、第１の弾性部材１０３と第２の弾性部材１０９の２種類の弾性部材が必要であり、弾性部材の種類及び個数が多く、ディスクの駆動装置１００のコストが高くなるという問題が生じてしまう。
【００１１】
そこで、筐体とメインフレームとの間、及び、メインフレームとサブフレームとの間を安価に弾性的に支持できるディスクドライブ装置が望まれている。
【課題を解決するための手段】
【００１２】
本発明は上記課題に鑑みてなされたものであり、請求項１記載の発明は、筐体と、
前記筐体内に設けられ、ディスクを回転駆動するスピンドルモータと、前記ディスクの半径方向に移動自在な光ピックアップ及び／又は磁気ヘッドとを取り付けたメインフレームと、
前記メインフレームに生じた振動を吸収するために該メインフレームの上方又は下方に配設されるサブフレームと、
前記筐体と前記メインフレームとの間、及び、前記メインフレームと前記サブフレームとの間を、それぞれ同じ位置で少なくとも３箇所弾性的に支持する弾性部材とを備えたことを特徴とするディスクドライブ装置である。
【００１３】
また、請求項２記載の発明は、請求項１記載のディスクドライブ装置において、
前記弾性部材は、振動に対して減衰特性を有するゴム材又は樹脂材を用いて略円筒形状に形成されており、略円筒形状の内部中心部位に中心孔が貫通して形成され、且つ、略円筒形状の外周部位に軸方向に間隔を持って第１，第２環状溝部が形成されていることを特徴とするディスクドライブ装置である。
【発明の効果】
【００１４】
請求項１記載のディスクドライブ装置によると、外部振動を吸収し、且つ、メインフレームの振動をサブフレームで吸収する際に、とくに、筐体とメインフレームとの間、及び、メインフレームとサブフレームとの間を、同一の弾性部材によりそれぞれ同じ位置で少なくとも３箇所弾性的に支持しているので、弾性部材は１種類だけ用意すれば良く、更に弾性部材の個数も削減できるため、従来例で説明したように２種類の弾性部材を使用する場合に比べてディスクドライブ装置のコトス低減を図ることができる。
【００１５】
また、請求項２記載のディスクドライブ装置によると、弾性部材を筐体とメインフレームとの間、及び、メインフレームとサブフレームとの間に取り付けることができるので、
筐体とメインフレームとの間では弾性部材により外部振動に対して充分な制振効果を得ることができ、且つ、メインフレームとサブフレームとの間ではメインフレームの振動をサブフレームと弾性部材により効果的に減衰させることができる。
【発明を実施するための最良の形態】
【００１６】
以下に本発明に係るディスクドライブ装置の一実施例を図１〜図６を参照して詳細に説明する。
【実施例】
【００１７】
図１（ａ），（ｂ）は本発明に係るディスクドライブ装置を示した上面図，縦断面図、
図２は本発明に係るディスクドライブ装置において、（ａ）は図１に示した弾性部材を拡大して示し、（ｂ）は筺体とメインフレームとの間、及び、メインフレームとサブフレームとの間を一体形成した弾性部材により弾性的に支持した状態を拡大して示した縦断面図、
図３は本発明に係るディスクドライブ装置において、振動モデルを説明するための図である。
【００１８】
図１（ａ），（ｂ）に示した如く、本発明に係るディスクドライブ装置１０Ａでは、筺体１１が箱状に形成されている。
【００１９】
この筺体１１は、底板１１ａの左端に垂設した左側板１１ｂの内側から左側弾性部材支持片１１ｂ１，１１ｂ１が前後で間隔を離して底板１１ａと平行に右方に向かって２箇所突出形成されていると共に、底板１１ａ上の右方に右側弾性部材支持片１１ａ１，１１ａ１が上方に向かった後に左方に屈曲して左側弾性部材支持片１１ｂ１，１１ｂ１と同じ高さで前後で間隔を離して２箇所突出形成されている。
【００２０】
そして、筺体１１内の前後左右に間隔を離して形成した左側弾性部材支持片１１ｂ１，１１ｂ１及び右側弾性部材支持片１１ａ１，１１ａ１の各孔内には、略矩形状に形成したメインフレーム１２の上面１２ａの四隅に後述するシャフト２０を介して取り付けた合計で４個の弾性部材１３中の下方部位が嵌め込まれている。
【００２１】
これにより、メインフレーム１２は４個の弾性部材１３により筺体１１の底板１１ａに対して略平行に弾性的に支持されている。
【００２２】
上記したメインフレーム１２には、光ディスクＤを搭載するためのターンテーブル１４をモータ軸に固着して光ディスクＤを回転駆動するスピンドルモータ１５と、一対のガイドレール１６，１６に案内されて光ディスクＤの半径方向に移動自在な光ピックアップ１７とが取り付けられている。この際、上記したスピンドルモータ１５はメインフレーム１２上の右方に取り付けられているため、メインフレーム１２の重心は中央よりも右方に偏るので、これに対してメインフレーム１２上の左方に不図示のバランスウエイト（錘）を必要に応じて設けてメインフレーム１２の重心を略中央に位置するように設定すれば後述するようにメインフレーム１２で生じる振動の抑制に対してより一層効果がある。
【００２３】
また、メインフレーム１２内には、光ディスクＤの下面側に配設した光ピックアップ１７が下方に臨む逃げ孔１２ｃが貫通して形成されており、この逃げ孔１２ｃの前後に沿って光ピックアップ１７を左右に案内する一対のガイドレール１６，１６が平行に設けられている。
【００２４】
尚、光ディスクＤに代えて光磁気ディスク（図示せず）をターンテーブル１４上に搭載した場合には、光ピックアップ１７及び磁気ヘッド（図示せず）を光磁気ディスクの半径方向に移動自在に設ければ良い。また、光ディスクＤに代えて磁気ディスク（図示せず）をターンテーブル１４上に搭載した場合には、光ピックアップ１７に代えて磁気ヘッド（図示せず）を磁気ディスクの半径方向に移動自在に設ければ良い。
【００２５】
更に、メインフレーム１２の上方には、メインフレーム１２に対して振動吸収器として機能するサブフレーム１８がメインフレーム１２と略平行に配設されている。このサブフレーム１８は、メインフレーム１２と略同じ外形サイズで略矩形状に形成され、この内部にスピンドルモータ１５及び光ピックアップ１７が臨む逃げ孔１８ａが大きく開口されている。そして、略矩形状に形成したサブフレーム１８の四隅に形成した各孔内に上記した４個の弾性部材１３の上方部位が嵌め込まれて、サブフレーム１８がメインフレーム１２に対して弾性的に支持されている。
【００２６】
この際、４個の弾性部材１３をメインフレーム１２及びサブフレーム１８の各四隅に取り付ける取り付け間隔は両フレーム１２，１８共に一致させている。
【００２７】
従って、筺体１１とメインフレーム１２との間、及び、メインフレーム１２とサブフレーム１８との間は、同一の弾性部材１３により外周に沿ってそれぞれ同じ位置で４箇所弾性的に支持されているが、これに限ることなく、外周に沿ってそれぞれ同じ位置で少なくとも３箇所弾性的に支持すれば良い       。
【００２８】
従って、弾性部材１３は１種類だけ用意すれば良く、更に弾性部材１３の個数も削減できるため、従来例で説明したように２種類の弾性部材１０３，１０９（図７）を使用する場合に比べてディスクドライブ装置１０Ａのコトス低減を図ることができる。
【００２９】
ここで、図２（ａ）に拡大して示した如く、上記した弾性部材１３は、振動に対して減衰特性を有するゴム材又は樹脂材を用いて略円筒形状に成形加工により一体的に形成されており、略円筒形状の内部中心部位に中心孔１３ａが貫通して形成され、且つ、略円筒形状の外周部位に２箇所軸方向に間隔を持って第１，第２環状溝部１３ｃ，１３ｅが形成されている。従って、弾性部材１３の外周部位には、下方から上方に向かって順に第１フランジ部１３ｂ，第１環状溝部１３ｃ，第２フランジ部１３ｄ，第２環状溝部１３ｅ，第３フランジ部１３ｆが形成されている。
【００３０】
この際、図２（ａ）では弾性部材１３の外周部位の外径を略同一寸法で図示し、且つ、第1，第２フランジ部１３ｂ，１３ｄの高さを略同一寸法で図示しているが、メインフレーム１２及びサブフレーム１８の振動設計に合わせて第1，第２フランジ部１３ｂ，１３ｄの外径及び高さを適宜設定すれば良い。
【００３１】
そして、例えば、筐体１１内の左側についてのみ図２（ｂ）を用いて説明すると、メインフレーム１２の上面１２ａの左隅にシャフト２０を上方に向かって植設し、且つ、このシャフト２０に弾性部材１３の中心孔１３ａを嵌合させて弾性部材１３をメインフレーム１２上に支持する共に、筐体１１の左側板１１ｂの内側に突出形成した左側弾性部材支持片１１ｂ１の孔に弾性部材１３の第１環状溝部１３ｃを嵌め込み、更に、サブフレーム１８の左隅に形成した孔内に弾性部材１３の第２環状溝部１３ｅを嵌め込んで、弾性部材１３の上部からワッシャー２１を介してネジ２２でシャフト２０に固定することで、一体形成した弾性部材１３が筺体１１とメインフレーム１２との間、及び、メインフレーム１２とサブフレーム１８との間に取り付けられている。この際、弾性部材１３は、メインフレーム１２とサブフレーム１８との間の高さで筺体１１に形成した左側弾性部材支持片１１ｂ１及び右側弾性部材支持片１１ａ１に支持されている。
【００３２】
尚、この実施例ではメインフレーム１２上に植設したシャフト２０を介して弾性部材１３を支持させたが、これに限ることなく、ここでの図示を省略するものの、筐体１１の底板１１ａ上にシャフトを植設してこのシャフトに弾性部材１３の中心孔１３ａを嵌合させて弾性部材１３を支持しても良い。この場合には、弾性部材１３の取り付け間隔を両フレーム１２，１８共に一致させて、メインフレーム１２及びサブフレーム１８の各隅に形成した各孔に弾性部材１３の第１，第２環状溝部１３ｃ，１３ｅを嵌め込めば良いものである。
【００３３】
ここで、図３に示した如く、上記のように構成した本発明に係るディスクドライブ装置１０Ａにおける振動モデルでは、筺体１１とメインフレーム１２との間、及び、メインフレーム１２とサブフレーム１８との間を一体形成した弾性部材１３により弾性的に支持した際、先に図１を用いて説明したように偏重心を持つ光ディスクＤがターンテーブル１４上に搭載されてスピンドルモータ１５により高速に回転した時に、光ディスクＤの偏重心によりメインフレーム１２に振動が生じると、メインフレーム１２上で弾性部材１３により弾性的に支持されたサブフレーム１８はメインフレーム１２に対して逆位相となって振動するため、メインフレーム１２の振動を効果的に減衰させることができる。この際、筺体１１とメインフレーム１２との間を弾性的に支持する弾性部材１３の第１フランジ部１３ｂ及びメインフレーム１２とサブフレーム１８との間を弾性的に支持する弾性部材１３の第２フランジ部１３ｄの各形状は、前述したように振動設計に応じて外径及び高さを適宜設定すれば良いものである。
【００３４】
また、筐体１１とメインフレーム１２との間も弾性部材１３により弾性的に支持されているため、外部振動に対しても充分な制振効果を得ることができる。
【００３５】
次に、実施例のディスクドライブ装置１０Ａを一部変形させた変形例１〜３について、図４〜図６を用いて簡略に説明する。
【００３６】
図４は本発明に係るディスクドライブ装置を一部変形させた変形例１のディスクドライブ装置を示した縦断面図、
図５は本発明に係るディスクドライブ装置を一部変形させた変形例２のディスクドライブ装置を示した縦断面図、
図６は本発明に係るディスクドライブ装置を一部変形させた変形例３のディスクドライブ装置を示した縦断面図である。
【００３７】
図４〜図６に示した変形例１〜３のディスクドライブ装置１０Ｂ〜１０Ｄは、先に説明した実施例のディスクドライブ装置１０Ａの構成と一部を除いて同様の構成であり、ここでは説明の便宜上、先に示した構成部材に対しては同一の符号を付して図示し、且つ、異なる部位に新たな符号を付して異なる点を中心にして説明する。
【００３８】
まず、図４に示した変形例１のディスクドライブ装置１０Ｂでは、筐体１１の左側板１１ｂの内側に突出形成した左側弾性部材支持片１１ｂ２及び底板１１ａの右方に突出形成した右側弾性部材支持片１１ａ２の各高さが先に図１（ｂ）に示した左側弾性部材支持片１１ｂ１及び右側弾性部材支持片１１ａ１よりも高く設定されている。また、メインフレーム１２の上面１２ａの四隅にシャフト２０を介して４個の弾性部材１３が取り付けられている。
【００３９】
そして、サブフレーム１８の四隅の各孔に弾性部材１３の第１環状溝部１３ｃを嵌め込み、且つ、左側弾性部材支持片１１ｂ２及び右側弾性部材支持片１１ａ２の各孔に弾性部材１３の第２環状溝部１３ｅを嵌め込むことで、メインフレーム１２の上方にサブフレーム１８が配設され、且つ、両フレーム１２，１８が同じ弾性部材１３を介して筺体１１に支持されている。この際、弾性部材１３は、サブフレーム１８よりも上方の高さで筺体１１に形成した左側弾性部材支持片１１ｂ２及び右側弾性部材支持片１１ａ２に支持されている。
【００４０】
従って、この変形例１の場合も、実施例と同様にサブフレーム１８がメインフレーム１２に対して振動吸収器として機能している。
【００４１】
次に、図５に示した変形例２のディスクドライブ装置１０Ｃでは、筐体１１の左側板１１ｂの内側に突出形成した左側弾性部材支持片１１ｂ３及び底板１１ａの右方に突出形成した右側弾性部材支持片１１ａ３の各高さが先に図１（ｂ）に示した左側弾性部材支持片１１ｂ１及び右側弾性部材支持片１１ａ１よりも低く設定されている。また、メインフレーム１２の下面１２ｂの四隅にシャフト２０を介して４個の弾性部材１３が上下を逆さまにして取り付けられている。
【００４２】
そして、サブフレーム１８の四隅の各孔に弾性部材１３の第１環状溝部１３ｃを嵌め込み、且つ、左側弾性部材支持片１１ｂ３及び右側弾性部材支持片１１ａ３の各孔に弾性部材１３の第２環状溝部１３ｅを嵌め込むことで、メインフレーム１２の下方にサブフレーム１８が配設され、且つ、両フレーム１２，１８が同じ弾性部材１３を介して筺体１１に支持されている。この際、弾性部材１３は、サブフレーム１８よりも下方の高さで筺体１１に形成した左側弾性部材支持片１１ｂ３及び右側弾性部材支持片１１ａ３に支持されている。
【００４３】
従って、この変形例２の場合も、実施例と同様にサブフレーム１８がメインフレーム１２に対して振動吸収器として機能している。
【００４４】
更に、図６に示した変形例３のディスクドライブ装置１０Ｄでは、筐体１１の左側板１１ｂの内側に突出形成した左側弾性部材支持片１１ｂ４及び底板１１ａの右方に突出形成した右側弾性部材支持片１１ａ４の各高さが先に図１（ｂ）に示した左側弾性部材支持片１１ｂ１及び右側弾性部材支持片１１ａ１と略同じ高さに設定されているものの、メインフレーム１２の下面１２ｂの四隅にシャフト２０を介して４個の弾性部材１３が上下を逆さまにして取り付けられている。
【００４５】
そして、左側弾性部材支持片１１ｂ４及び右側弾性部材支持片１１ａ４の各孔に弾性部材１３の第１環状溝部１３ｃを嵌め込み、且つ、サブフレーム１８の四隅の各孔に弾性部材１３の第２環状溝部１３ｅを嵌め込むことで、メインフレーム１２の下方にサブフレーム１８が配設され、且つ、両フレーム１２，１８が同じ弾性部材１３を介して筺体１１に支持されている。この際、弾性部材１３は、サブフレーム１８とメインフレーム１２との間の高さで筺体１１に形成した左側弾性部材支持片１１ｂ４及び右側弾性部材支持片１１ａ４に支持されている。
【００４６】
従って、この変形例３の場合も、実施例と同様にサブフレーム１８がメインフレーム１２に対して振動吸収器として機能している。
【００４７】
上記から、変形例１〜３のディスクドライブ装置１０Ｂ〜１０Ｄでも先に説明した実施例のディスクドライブ装置１０Ａ（図１）と同様に、弾性部材１３は１種で良く、個数も削減できるので、従来例で説明したように２種類の弾性部材１０３，１０９（図７）を使用する場合に比べてディスクドライブ装置１０Ｂ〜１０Ｄのコトス低減を図ることができる。
【図面の簡単な説明】
【００４８】
【図１】（ａ），（ｂ）は本発明に係るディスクドライブ装置を示した上面図，縦断面図である。
【図２】本発明に係るディスクドライブ装置において、（ａ）は図１に示した弾性部材を拡大して示し、（ｂ）は筺体とメインフレームとの間、及び、メインフレームとサブフレームとの間を一体形成した弾性部材により弾性的に支持した状態を拡大して示した縦断面図である。
【図３】本発明に係るディスクドライブ装置において、振動モデルを説明するための図である。
【図４】本発明に係るディスクドライブ装置を一部変形させた変形例１のディスクドライブ装置を示した縦断面図である。
【図５】本発明に係るディスクドライブ装置を一部変形させた変形例２のディスクドライブ装置を示した縦断面図である。
【図６】本発明に係るディスクドライブ装置を一部変形させた変形例３のディスクドライブ装置を示した縦断面図である。
【図７】（ａ），（ｂ）は従来のディスクの駆動装置を示した上面図、縦断面図である。
【図８】従来のディスクの駆動装置において、振動モデルを説明するための図でである。
【符号の説明】
【００４９】
１０Ａ…実施例のディスクドライブ装置、
１０Ｂ〜１０Ｄ…実施例を一部変形させた変形例１〜３のディスクドライブ装置、
１１…筐体、１１ａ…底板、１１ａ１〜１１ａ４…右側弾性部材支持片、
１１ｂ…左側板、１１ｂ１〜１１ｂ４…左側弾性部材支持片、
１２…メインフレーム、１２ａ…上面、１２ｂ…下面、１２ｃ…逃げ孔、
１３…弾性部材、１３ａ…中心孔、１３ｂ…第１フランジ部、１３ｃ…第１環状溝部、
１３ｄ…第２フランジ部、１３ｅ…第２環状溝部、１３ｆ…第３フランジ部、
１４…ターンテーブル、１５…スピンドルモータ、１６，１６…一対のガイドレール、
１７…光ピックアップ、１８…サブフレーム、１８ａ…逃げ孔、
２０…シャフト、２１…ワッシャー、２２…ネジ、
Ｄ…光ディスク。
【図１】
2006236494.tif 000003
【図２】
2006236494.tif 000004
【図３】
2006236494.tif 000005
【図４】
2006236494.tif 000006
【図５】
2006236494.tif 000007
【図６】
2006236494.tif 000008
【図７】
2006236494.tif 000009
【図８】
2006236494.tif 000010